(57)【特許請求の範囲】
【請求項１】
大型紙面画像サーバ装置とビューアプログラムを備えたユーザ端末装置とがネットワークで接続されて構成される大型紙面閲覧システムであって、
前記大型紙面画像サーバ装置は、ユーザ端末装置からネットワークを通じたリクエストを受付けて、対応する情報を返信する送受信手段と、
紙面１面分の画像データが１つのファイルで構成される比較的低解像度のベース画像データを検索可能な形態で蓄積したベース画像データベースと、
同紙面１面分の画像データが複数のファイルで構成される高解像度の詳細画像データを検索可能な形態で蓄積した詳細画像データベースと、
呈示可能な紙面のリストを利用者に提供し選択させる紙面選択手段と、
ユーザ端末装置からのベース画像の送信に係るリクエストにより紙面１面分のベース画像データ及び該紙面の詳細画像データの領域分割情報と該詳細画像データの名称を提供するベース画像提供手段と、
ユーザ端末装置からの詳細画像データの送信に係るリクエストにより詳細画像データをユーザ端末装置に提供する詳細画像提供手段と、
それら紙面のデジタルデータの追加・更新・削除の保守を行う収容データ管理手段と、
前記各手段を制御する制御手段を備えたものであって、
また前記ユーザ端末装置は、ビューアプログラムを実行することにより、ネットワークを通じて前記大型紙面画像サーバ装置にベース画像の送信に係るリクエストを送り、ベース画像データ及び該紙面の詳細画像データの領域分割情報と詳細画像を特定するファイル名及び詳細画像データを受信する送受信手段と、
前記ベース画像データに上記詳細画像データを重ねてタイリングしてユーザ端末装置の画面に表示し、変倍、スクロール操作を行うブラウジング手段と、
前記変倍操作によってベース画像データを用いた表示が一定の拡大率以上になった場合、詳細画像が存在する旨端末画面に表示する詳細画像通知手段と、
詳細画像の存在の通知に応じて詳細画像の取得の要求がなされた場合、大型紙面画像サーバ装置に詳細画像データの送信をリクエストする詳細画像要求手段、として動作するコンピュータを備えたものである、ことを特徴とする大型紙面閲覧システム。
【請求項２】
前記詳細画像通知手段は、スクロール操作が一定時間停止し、かつ変倍操作によって一定の拡大率以上になっている場合、詳細画像が存在する旨端末画面に表示する、請求項１に記載の大型紙面閲覧システム。
【請求項３】
前記詳細画像通知手段は、スクロール操作が一定時間停止し、かつ変倍操作によって一定の拡大率以上になっている場合、自動的に大型紙面画像サーバ装置に詳細画像データの送信をリクエストする詳細画像要求手段を呼び出す、請求項１に記載の大型紙面閲覧システム。
【請求項４】
前記詳細画像要求手段は、詳細画像の存在の通知に応じて詳細画像の取得の要求がなされた場合、大型紙面画像サーバ装置に詳細画像データの一部分の送信をリクエストする、請求項１に記載の大型紙面閲覧システム。
【発明の詳細な説明】
【技術分野】
【０００１】
本発明は、デジタルデータ化された大型の紙面を携帯端末に表示する画像処理装置に関する。
【背景技術】
【０００２】
インターネット技術の発展に伴い、ネットワークを介して商品やサービスを提供する電子商取引が拡がってきている。近年では、通信回線のインフラの整備が進んできており、高速な通信手段が利用できるようになってきた。これにより、特に電子商店と同時に店頭販売もしている商店やメーカーなどのサイトでは、もともと紙ベースで配布していたチラシやカタログについて、これらの紙面画像をデジタルデータ化して顧客に提示することにより、情報の一元化を図る動きが見られるようになってきている。
【０００３】
但し、チラシやカタログの画像データ量は大きいため、これらの画像を円滑に閲覧できるのは高速な通信手段が利用可能な環境に限られており、例えば無線通信によるデータ通信においては高速化が進んできてはいるものの、受信機の地理的な位置や混雑状況などの受信環境上の理由によって、大きい画像データの受信に見合う十分な通信速度を得ることができない場合がある。また、受信側が携帯電話や携帯情報端末のように画面が小さい機器の場合、チラシやカタログのようなサイズの大きい画像を表示する方法についても対応する必要がある。
【０００４】
下記特許文献１に開示された画像表示方法によれば、上述のチラシやカタログの画像のように画面のサイズとデータ量が大きい受信対象について、紙面画像を低解像度から高解像度までの何種類かの解像度でデジタルデータ化し、さらにその画像を通信に適切な容量に分割し、必要に応じてそれらの画像データをユーザの携帯電話や携帯情報端末のＷｅｂブラウザ上で作動するプログラム（ビューア）が取得し、画像を操作可能な状態で表示する。また、スクロールや拡大縮小などの操作により表示される画像の領域が移動した場合、その都度新たに表示のために必要な画像データが算定され、未取得の画像データがあった場合には該画像データの取得が無条件で自動的に行われてユーザ端末の画面に表示する方法が知られている。
【先行技術文献】
【特許文献】
【０００５】
【特許文献１】特開２００４−３２０５３４号公報
【発明の概要】
【発明が解決しようとする課題】
【０００６】
しかしながら、スクロールや拡大縮小などの操作により表示される画像の領域が移動した場合、新たに表示のために必要となる画像データの取得を無条件で自動的に行う方法では、取得対象の画像データが多い場合や回線スピードの制限が加わった場合、画面表示されるまでの速度が遅くなってしまう。また、スクロールした場合など、新たな表示領域についても従前と同じ解像度で表示すべきかどうかといった判断は考慮されていなかった。
【０００７】
また、予め元の紙面画像を何種類かの解像度で（先の特許文献１の発明の実施の形態によると８種類）デジタルデータ化し、送信に適した容量のファイルに分割してサーバに保存する方法では、相当数のファイルを管理することとなる上、相応の記憶領域が必要となってしまう。
【課題を解決するための手段】
【０００８】
上記課題を解決するための、本願の第１の発明は、ユーザ端末装置からネットワークを通じたリクエストを受付けて、対応する情報を返信する送受信手段と、紙面１面分の画像データが１つのファイルで構成される比較的低解像度のベース画像データを検索可能な形態で蓄積したベース画像データベースと、同紙面１面分の画像データが複数のファイルで構成される高解像度の詳細画像データを検索可能な形態で蓄積した詳細画像データベースと、呈示可能な紙面のリストを利用者に提供し選択させる紙面選択手段と、ユーザ端末装置からのベース画像の送信に係るリクエストにより紙面１面分のベース画像データ及び該紙面の詳細画像データの領域分割情報と該詳細画像データの名称を提供するベース画像提供手段と、ユーザ端末装置からの詳細画像データの送信に係るリクエストにより詳細画像データをユーザ端末装置に提供する詳細画像提供手段と、それら紙面のデジタルデータの追加・更新・削除の保守を行う収容データ管理手段と、前記各手段を制御する制御手段を備えたものであって、また前記ユーザ端末装置は、ビューアプログラムを実行することにより、ネットワークを通じて前記大型紙面画像サーバ装置にベース画像の送信に係るリクエストを送り、ベース画像データ及び該紙面の詳細画像データの領域分割情報と詳細画像を特定するファイル名及び詳細画像データを受信する送受信手段と、前記ベース画像データに上記詳細画像データを重ねてタイリングしてユーザ端末装置の画面に表示し、変倍、スクロール操作を行うブラウジング手段と、前記変倍操作によってベース画像データを用いた表示が一定の拡大率以上になった場合、詳細画像が存在する旨端末画面に表示する詳細画像通知手段と、詳細画像の存在の通知に応じて詳細画像の取得の要求がなされた場合、大型紙面画像サーバ装置に詳細画像データの送信をリクエストする詳細画像要求手段、として動作するコンピュータを備えたものである、大型紙面閲覧システムである。尚、前記詳細画像要求手段において送信がリクエストされる詳細画像データは、該当するベース画像データに対応する詳細画像データのすべてを一括して送信するようにリクエストする必要はなく、画面表示に必要な一部分を送信するようにリクエストしてもよい。
【０００９】
また、前記ビューアプログラムの詳細画像通知手段は、スクロール操作が一定時間停止し、かつ変倍操作によって一定の拡大率以上になっている場合、詳細画像が存在する旨端末画面に表示するようにしても良い。
【００１０】
また、前記ビューアプログラムの詳細画像通知手段は、スクロール操作が一定時間停止し、かつ変倍操作によって一定の拡大率以上になっている場合、自動的に大型紙面画像サーバ装置に詳細画像データの送信をリクエストする詳細画像要求手段を呼び出すようにしても良い。
【発明の効果】
【００１１】
本願の第１の発明によれば、紙面１面分のベース画像データ及び該紙面の詳細画像データの領域分割情報と該詳細画像データの名称とがまずビューアに送信され、このうちのベース画像データがユーザ端末の画面に表示される。このベース画像はある程度の拡大に耐えうる解像度であるため、おおまかな閲覧には十分な画質を持つ。また本装置はこの他に最高解像度の詳細画像データを持っており、このデータをローディングし表示することも利用者が任意に選択できるため、画像の解像度不足に起因するストレスが軽減される。
【００１２】
本発明によれば、高解像度の詳細画像をスクロール表示する際、未取得の詳細画像データがあった場合、該画像データの取得は利用者の選択に任されていても良い。このため、従来の画像表示方法につきものだったデータの自動読込みに係る画面表示の体感速度の遅さを感じることが少ない。
【００１３】
本発明による、チラシ及びカタログ紙面１面分の画像データは、低解像度のベース画像データと最高解像度の詳細画像データの２種類であり、従来の画像表示方法のように何種類かの解像度の画像データを保持する必要がない。
【００１４】
本発明によれば、通常の商取引で用いられているのと同様の、紙ベースで配布していた紙面の画像がそのまま電子商取引等においても呈示することが可能となる。これにより、チラシやカタログ制作の一元化を図ることができる。
【図面の簡単な説明】
【００１５】
【図１】本発明の一実施例における大型紙面閲覧システムの全体構成を示すブロック図である。
【図２】本発明の大型紙面画像サーバ機能１３０の詳細を示すブロック図である。
【図３】大型紙面画像サーバ１００のハードウェア構成の一例を示すブロック図である。
【図４】ユーザ端末の機能を説明する図である。
【図５】ベース画像と詳細画像の例である。
【図６】詳細画像の表示を説明する図である。
【図７】ビューアからの要求とそれに対する本発明の大型紙面画像サーバの応答例を示すブロック図である。
【図８】ビューアからの要求とそれに対する本発明の大型紙面画像サーバの応答の別の例を示すブロック図である。
【図９】ビューアからの要求とそれに対する本発明の大型紙面画像サーバの応答のさらに別の例を示すブロック図である。
【図１０】詳細画像の表示における分割された詳細画像データファイルの読込みを説明する図である。
【発明を実施するための形態】
【００１６】
以下に、本発明の構成について図面を参照してさらに詳細に説明する。
本発明の実施例として、チラシ・カタログの画像を配信するネットワーク上のサイトを挙げ、該サービスを提供するコンピュータを用いてチラシ・カタログデジタル画像の配信を実施する例を説明する。
【実施例１】
【００１７】
図１は、本発明の一実施例における大型紙面画像サーバの構成を示すブロック図である。図１において、１００は本発明における大型紙面画像サーバであり、インターネット上でチラシ・カタログなどの大型紙面の閲覧サービスを提供する装置である。本装置は、送受信手段１１０、制御手段１２０、大型紙面画像サーバ機能１３０及び大型紙面のデジタルデータが格納されている複数のデータベース（詳細な説明は後述）を備えている。
【００１８】
ネットワーク５００は簡略化されて表示しているが、例えばインターネットのようなゲートウェイを介した複数のネットワークの組合せであり、ＬＡＮ（Ｌｏｃａｌ  Ａｒｅａ  Ｎｅｔｗｏｒｋ）、電話回線、移動体通信網等から構成され、ユーザ端末２０１、２０２と大型紙面画像サーバ１００との間で情報の送受信を可能とするためのものである。
【００１９】
チラシ・カタログなど大型紙面画像サーバに格納されている紙面の閲覧を希望する利用者は、自身で保有する携帯電話２０１や携帯端末・ＰＣ等２０２などのユーザ端末からネットワーク５００を介してＷＷＷ（Ｗｏｒｌｄ  Ｗｉｄｅ  Ｗｅｂ）上の上記大型紙面画像サーバ１００が提供するサービスにアクセスし、チラシ・カタログなどの大型紙面（以下大型紙面と称す）の閲覧サービスを受けることができる。ユーザ端末はＷｅｂブラウザを備えており、このブラウザ上で作動する、大型紙面の画像を受取り操作可能な状態で表示するプログラム（ビューア）によって、選択した画像データの取得の指示、画像データの画面への表示および画面の拡大・縮小やスクロール操作を行うことができる。また、画像データが複数のファイルに分割されている場合や解像度の異なる画像データを表示する場合のタイリング処理及び「詳細あり」ボタン（詳細な説明は後述）をオーバーレイ表示する機能を備えている。
【００２０】
図２は、大型紙面画像サーバ機能１３０の構成を示すブロック図である。大型紙面の閲覧を希望する利用者が該サービスを受けようとした場合、ユーザ端末のビューアからの閲覧希望のリクエストを受け、制御手段１２０を介し紙面選択手段１３１に処理を引き継ぐ。紙面選択手段１３１は、その時点でデータベースに登録されている大型紙面のリストを作成し、その中から閲覧を希望する大型紙面を選択するようビューアに返信する、ここで、利用者より大型紙面の閲覧が要求された場合、ベース画像提供手段１３２が作動される。また、収容データ管理手段１３９は、本サーバの管理者により作動され、大型紙面の登録や削除及びデータベース１２１、１２２のメンテナンスを行う。
【００２１】
ベース画像提供手段１３２は、利用者からの大型紙面の閲覧のリクエスト（閲覧を希望する大型紙面の選択）により作動され、該当する大型紙面の低解像度のベース画像データ及び該紙面の詳細画像データの領域分割情報と該詳細画像データの名称とをユーザ端末のビューアに送信する。詳細画像データの領域分割情報には、それぞれの詳細画像データファイルの画像データがベース画像のどの部分に対応するかが記述されている。
【００２２】
詳細画像提供手段１３３は、ベース画像提供手段１３２によってユーザ端末の画面に表示されたベース画像の閲覧中における利用者またはビューアからの詳細画像表示の要求に応じて作動され、要求された詳細画像データをユーザ端末のビューアへ送信する。
【００２３】
図３は、大型紙面画像サーバ１００のハードウェア構成の一例を示すブロック図である。大型紙面画像サーバ１００は、制御部１０１、ローカル記憶部１０２、周辺機器Ｉ／Ｆ部１０３、入力部１０４、表示部１０５、通信部１０６がバス１０９を介して接続される。制御部１０１はＣＰＵ（中央処理装置）で装置全体を制御する、また、プログラムを実行する。記憶部１０２は制御部１０１で処理するデータやプログラムを保持する。周辺機器Ｉ／Ｆ部１０３はデータベース１２１、１２２やプログラムを記録したハードディスクの記憶媒体との間でデータの授受を行う。入力部１０４はキーボードやマウス等の入力装置であり、データの入力等を行う。表示部１０５はディスプレイ等の表示装置である。通信部１０６はネットワークを介して他のコンピュータ等と通信を行う。
【００２４】
図１から図２に示された各手段と図３の関係であるが、大型紙面画像サーバ１００の記憶部１０２には、大型紙面画像サーバ１００として使用するコンピュータのＯＳのプログラムコードおよびＨＴＴＰプロトコルにより顧客からの要求を受けそれに対する応答を返すＷＥＢサーバーソフトウェア（送受信手段１１０の主要部）の他に、処理の遷移を制御するコンピュータプログラムモジュール（制御手段１２０の主要部）および収容するデジタルデータ化されたチラシ及びカタログの登録・削除及び名称等を管理するコンピュータプログラムモジュール（収容データ管理手段１３９の主要部）、送受信手段１１０を介して、表示する大型紙面に関するリクエストに対応する対話画面を作成してビューアに送信するコンピュータプログラムモジュール（紙面選択手段１３１の主要部）、および利用者の端末操作に応じて送受信手段１１０を介して大型紙面の画面データを作成してビューアへ送信するコンピュータプログラムモジュール群（ベース画像提供手段１３２、詳細画像提供手段１３３の主要部）の実行形式プログラムが格納されており、これらのプログラムコードが制御部１０１に読み出されて、大型紙面画像サーバ１００のハードウェアを駆動制御することにより各手段１３１〜１３９として機能する。
【００２５】
図４は、ユーザ端末装置２０１，２０２の機能を説明する図である。ユーザ端末装置は携帯電話やタブレット端末、ＰＣであったりするが、ここでは大型紙面閲覧システムとして機能する部分のみ抜き出して説明する。送受信手段２２０は、大型紙面画像サーバ１００へのアクセスや要求の送信、ベース画像データや詳細画像データなどのデータ受信を行う。受信されたデータは画像データ記憶手段２４０に蓄積される。ブラウジング手段２３０はユーザ端末装置に備えられているＷｅｂブラウザに大型紙面の画像を受取り操作可能な状態で表示するプログラム（ビューア）を付加したもので、選択した画像データの取得の指示、画像データの画面への表示および画面の拡大・縮小やスクロール操作を行うことができる。また、解像度の異なる画像データをタイリングして表示する機能を持つ。詳細画像通知手段２３１は取得した詳細画像データの領域分割情報と該詳細画像データの名称を管理し、詳細画像データの有無を判定し「詳細あり」ボタン（詳細な説明は後述）をオーバーレイ表示する機能持つ。詳細画像要求手段２３２は、詳細画像通知手段２３１で通知した詳細画像データについてデータ取得の要求を受付け、大型紙面画像サーバ１００へ詳細画像データの配信を要求する機能を備えている。
【００２６】
図５はベース画像と詳細画像の例を示す図である。ベース画像はデータベース上では１つのファイルで構成されており、ビューアからのベース画像の送信に係るリクエストを受け、ベース画像提供手段１３２によってビューアにローディングされる画像データである。例えば図のように１０００ピクセル×７５０ピクセル程度のサイズが好適である。この程度のピクセル数があればビューア上で２００パーセント程度拡大表示した場合でも視認できるレベルの画質が期待できる。詳細画像は最高解像度の画像データでデータベース上では複数のファイル（例では２５個のファイルに分割）で構成されるのが通常であり、ビューアの詳細画像要求手段２３２によって詳細画像データの送信がリクエストされた場合、詳細画像提供手段１３３により指定された詳細画像データがビューアにローディングされる。このとき前記詳細画像要求手段２３２は、該当するベース画像に係る全ての詳細画像データを送信するようにしてもよいし、画面表示に必要な一部分の画像データを送信する用にリクエストしてもよい、図の例のように、分割された一つの詳細画像データは、データ転送速度を考慮して、８００ピクセル×６００ピクセル程度のサイズが好適である。尚、図の例のように１紙面の最高解像度が４０００ピクセル×３０００ピクセルとすると、２００線／インチでほぼ新聞紙面１ページ、１３３線／インチで新聞紙面見開きの大きさをカバーできる。
【００２７】
図６は詳細画像の表示について説明する図である。大型紙面の閲覧をリクエストした当初ではビューアにはベース画像が表示される。その後、ビューアにおいて表示画面の拡大操作が行われた場合、ビューアが詳細画像データの領域分割情報を解析し、図５左側画像に示すように、詳細画像が存在する旨利用者に通知（詳細な説明は後述）され、さらに利用者が詳細画像の表示を要求した場合、図５右側画像に示すように、詳細画像データがローディングされ表示される。
【００２８】
図７は、ビューアからの要求とそれに対する本発明の大型紙面画像サーバ１００の挙動を示すブロック図である。サービス利用者は、自身で保有するユーザ端末のビューアを用いて、ネットワーク５００を経て、本実施例の大型紙面の画像配信サイトの大型紙面画像サーバ１００にアクセスする。ここで閲覧可能な大型紙面を問い合わせた場合（Ｓ０１）、制御手段１２０は紙面選択手段１３１を作動させる。紙面選択手段１３１は閲覧可能な大型紙面のリストを呈示する画面を作成し、ビューアに送信し画面表示させる（Ｓ０２）、尚、この表示データ中には紙面の名称の他、ベース画像や詳細画像の情報が含まれている。
【００２９】
サービス利用者は、ビューアを用いて、呈示された閲覧可能な大型紙面のリストより閲覧したい紙面のファイル名、パス名、ＵＲＬなどの名称を大型紙面画像サーバ１００に送信する（Ｓ０３）。このとき、制御手段１２０はベース画像提供手段１３２を作動させる。ベース画像提供手段１３２はベース画像データベースよりベース画像データ及び該紙面の詳細画像データの領域分割情報と該詳細画像データの名称（図には付随情報と略記）とをビューアに送信する（Ｓ０４）。
【００３０】
サービス利用者は、ビューアを用いてベース画像を閲覧する、このときビューアの機能で表示画面の拡大・縮小やスクロール操作を行うが、閲覧中に拡大操作を行いその結果ベース画像の拡大率が所定の値（例えば２００パーセント）を超えた場合、それより拡大すると画質が粗くなる懸念が生じるため、当該画面について詳細画像データが存在するかどうか、ベース画像データとともに取得した詳細画像データの領域分割情報から算定し、詳細画像データが存在する場合、ビューアは「詳細あり」のボタンを現在表示中の画面にオーバーレイさせて表示する（Ｓ０５）。ここで、利用者の操作によってベース画像の拡大率が所定の値（例えば２００パーセント）以下に戻った場合、ビューアは「詳細あり」のボタン表示を取り消す。
【００３１】
また、一つめの変形例として図８による別の手続を行ってもよい。これによるとサービス利用者は、ビューアを用いてベース画像を閲覧する、このときビューアの機能で表示画面の拡大・縮小やスクロール操作を行うが、閲覧中にスクロール操作を一定時間中断（２秒程度が好適）し、かつ、画像の拡大率が所定の値を超えている場合、利用者がその部分を注視している確率が高いと予測し、当該画面について詳細画像データが存在するかどうか、ベース画像データとともに取得した詳細画像データの領域分割情報から算定し、詳細画像が存在する場合、ビューアは「詳細あり」のボタンを現在表示中の画面にオーバーレイさせて表示する（Ｓ１５）。
【００３２】
ビューアに「詳細あり」のボタンが表示されているときに、利用者がこのボタンをクリックした場合、ビューアは詳細画像要求手段２３２を作動させ、大型紙面画像サーバ１００に対し該詳細画像データの送信を要求する（Ｓ０６、Ｓ１６）。
【００３３】
また、二つめの変形例として図９による別の手続を行ってもよい。これによるとサービス利用者は、ビューアを用いてベース画像を閲覧中にスクロール操作を一定時間中断（２秒程度が好適）し、かつ、画像の拡大率が所定の値を超えている場合、利用者がその部分を注視している確率が高いと予測し、当該画面について詳細画像データが存在するかどうか、ベース画像データとともに取得した詳細画像データの領域分割情報から算定し、詳細画像が存在する場合、ビューアは詳細画像要求手段２３２を作動させ、大型紙面画像サーバ１００に対し自動的に詳細画像データの送信を要求する（Ｓ２５）。
【００３４】
大型紙面画像サーバ１００は、該詳細画像データの送信の要求を受取ると、詳細画像提供手段１３３を作動させる。詳細画像提供手段１３３はこれを受け該詳細画像データをビューアに送信する（Ｓ０７、Ｓ１７、Ｓ２６）。
【００３５】
その後、利用者がスクロール操作を行い、その結果、まだ詳細画像のデータがローディングされていない範囲に表示エリアが移動した場合、Ｓ０５、Ｓ１５、Ｓ２５のそれぞれのステップ以降の処理を繰り返す。ただし、送信するデータ量を軽減するため、ビューアは既に受信した詳細画像のデータについては取得の要求はしない。
【００３６】
図１０は詳細画像の表示における分割された詳細画像データファイルの読込みを説明する図である。既に詳細画像が表示されているエリアが図１０左の「表示エリア」である場合、詳細画像データファイル１、２、６、７、１１、１２番がビューアにローディングされており、この部分については詳細画像が表示可能である。また、この後ビューアのスクロール操作によって表示エリアが変更された場合、まだ詳細画像がローディングされていない部分についてはベース画像が表示され、詳細画像通知手段２３１によって詳細画像が存在する旨利用者に通知される。このとき新たに詳細画像の読み込みの要求がなされた場合、既にローディング済みの詳細画像データファイル７、１２番を除いた８、１３、１７、１８番の詳細画像データファイルがビューアにローディングされる（図１０右の「表示エリア」参照）。この場合、新たな表示範囲には含まれなくなった、既にビューアに読込済の分割された詳細画像データファイルは、全て残され消去されない。
【００３７】
本発明によれば、電子商取引等においても、通常の商取引で配布されているのと同様の紙ベースのチラシやカタログ、新聞などの大型紙面画像を利用者に対し大きな負荷を掛けることなく呈示することができ、チラシやカタログ、新聞などの大型紙面制作の一元化を図ることができる。
【００３８】
本発明は、上記の実施例に限定されることなく、特許請求の範囲内で種々変更、応用が可能である。例えば、本実施例ではビューアが作動するユーザ端末として携帯電話や携帯端末を例示しているが、デスクトップパソコンや電子ブックを対象としても同様に本発明の実施をすることが可能である。
【符号の説明】
【００３９】
１００  大型紙面画像サーバ
１０１  制御部
１０２  記憶部
１０３  周辺機器Ｉ／Ｆ部
１０４  入力部
１０５  表示部
１０６  通信部
１１０  送受信手段
１２０  制御手段
１２１  ベース画像データベース
１２２  詳細画像データベース
１３０  大型紙面画像サーバ機能
１３１  紙面選択手段
１３２  ベース画像提供手段
１３３  詳細画像提供手段
１３９  収容データ管理手段
２０１，２０２  ユーザ端末
５００  ネットワーク
【図１】
0005874258.tif 000002
【図２】
0005874258.tif 000003
【図３】
0005874258.tif 000004
【図４】
0005874258.tif 000005
【図５】
0005874258.tif 000006
【図６】
0005874258.tif 000007
【図７】
0005874258.tif 000008
【図８】
0005874258.tif 000009
【図９】
0005874258.tif 000010
【図１０】
0005874258.tif 000011